(57)【要約】コイルスプリングの構造を変更することにより、１つのクッション部材を用いて、二重のクッショニング機能をもたらすことができるポケットスプリングアセンブリ、及び、ポケットスプリングアセンブリの製造方法が開示される。ポケットスプリングアセンブリは、縦方向Ｒ及び横方向Ｃに規則的に配されたコイルスプリング(１１)をそれぞれが収容した複数のポケット１２を有するポケットセット１０と、ポケットセット１０の上面に水平方向Ｒにねじこまれて結合され、コイルスプリング１１の上端の一巻きを固定する複数のヘリカルコイル２０と、ポケットセット１０の上部に付着し、ポケットセット１０の上部を固定する不織布４０と、を含んでいる。
2006501042.tif 000002
【特許請求の範囲】
【請求項１】
マットレスに内蔵され、クッションまたは緩衝性能を独立に与えるポケットスプリングアセンブリにおいて、
当該ポケットスプリングアセンブリは、
縦方向Ｒ及び横方向Ｃに規則的に配列されたコイルスプリング１１をそれぞれが収容している複数のポケット１２を有するポケットセット１０と、
前記ポケットセット１０の上面に水平方向Ｒにねじこまれて結合されて、前記コイルスプリング１１の上端の一巻きを固定する複数のヘリカルコイル２０と、
前記ポケットセット１０の上部に付着し、前記ポケットセット１０の上部を固定する不織布４０と、
を備える、ポケットスプリングアセンブリ。
【請求項２】
請求項１記載のポケットスプリングアセンブリにおいて、
前記ポケットセット１０の前記コイルスプリング１１は、丸型に形成された上部の一巻きを含み、当該上部の一巻きは、ボディの上端を形成するポケットスプリングアセンブリ。
【請求項３】
請求項１記載のポケットスプリングアセンブリにおいて、
前記ポケットセット１０の前記ポケット１２は、列方向Ｃのポケットの両側に形成されたメルティング部１２ａを有するポケットスプリングアセンブリ。
【請求項４】
マットレスに内蔵され、クッションまたは緩衝性能を独立に与えるポケットスプリングアセンブリにおいて、
縦方向Ｒ及び横方向Ｃに規則的に配列されたコイルスプリング１１をそれぞれが収容している複数のポケット１２を有するポケットセット１０と、
前記ポケットセット１０の上面に水平方向Ｒに螺子式で結合され、コイルスプリング１１の上端の一巻きを固定する複数のヘリカルコイル２０と、
それぞれが前記ポケットセット１０の上下部に備えられ、前記コイルスプリング１１のうちの最外コイルスプリングを固定する上下フレーム部材３０,３０'と、
前記ポケットセット１０の上部に付けられ、前記ポケットセット１０の上部を固定する不織布４０と、
を備えるポケットスプリングアセンブリ。
【請求項５】
請求項４記載のポケットスプリングアセンブリにおいて、
前記ポケットセット１０の前記コイルスプリング１１は、丸型に形成された上部一巻きを含み、当該上部一巻きは、ボディの上端を形成するポケットスプリングアセンブリ。
【請求項６】
請求項４記載のポケットスプリングアセンブリにおいて、
前記ポケットセット１０の前記ポケット１２は、列方向Ｃのポケットの両側に形成されたメルティング部１２ａを有するポケットスプリングアセンブリ。
【請求項７】
マットレスに内蔵され、クッションまたは緩衝性能を独立に与えるポケットスプリングアセンブリを製造する方法において、
当該方法は、
ポケット１２の収容空間に個々のコイルスプリング１１を挿入し、前記収容空間を密封する工程と、
前記ポケット１２の両側に形成されたメルティング部１２ａを用いて、複数のポケットを連続的に付着し、前記ポケットを列Ｃに並べて配列する工程と、
前記ポケット１２の列を水平方向Ｒに連続的に配列し、ポケットセット１０を形成する工程と、
ヘリカルコイル２０を前記ポケットセット１０の上面に水平方向Ｒに螺子式で結合して、前記コイルスプリング１１の上端の一巻きを固定する工程と、
前記ポケットセット１０の上部に不織布４０をおいて、前記ポケットセット１０の上部に前記ポケット１２の上面及び前記ヘリカルコイル２０を固定する工程と、
を備える方法。
【請求項８】
マットレスに内蔵され、クッションまたは緩衝性能を独立に与えるポケットスプリングアセンブリを製造する方法において、
当該方法は、
ポケット１２の収容空間に個々のコイルスプリング１１を挿入し、前記収容空間を密封する工程と、
前記ポケット１２の両側に形成されたメルティング部１２ａを用いて、複数のポケットを連続的に付着し、前記ポケットを列Ｃに並べて配列する工程と、
前記ポケット１２の列を水平方向Ｒに連続的に配列し、ポケットセット１０を形成する工程と、
ヘリカルコイル２０を前記ポケットセット１０の上面に水平方向Ｒにねじこんで結合して、前記コイルスプリング１１の上端の一巻きを固定する工程と、
前記上下フレーム部材３０,３０'を前記ポケットセットの上下部におかれて、前記コイルスプリング１１のうちの最外スプリングを、前記ポケットセット１０の上下部にそれぞれ固定部材５０で固定する工程と、
前記フレーム部材３０の上面に不織布４０がおかれて、前記ポケットセット１０の上部に前記ポケット１２及びヘリカルコイル２０を固定する工程と、
を備える方法。
【発明の詳細な説明】
【技術分野】
【０００１】
本発明は、マットレスに内蔵されて、クッションまたは緩衝性能の、要求されたレベルを与えるポケットスプリングに係り、特に、コイルスプリングの構造を変更することにより、単一のクッション材を用いて二重クッション機能を提供することが可能なポケットスプリングアセンブリと、ポケットスプリングアセンブリの製造方法とに関する。
【背景技術】
【０００２】
最近、１以上のベッドマットレスは、クッションまたは緩衝性能を与えるためにベッドフレームに載せられており、そして、フレーム部材の収容空間に縦方向及び横方向に配列されたコイルスプリングを有するスプリングアセンブリと、スプリングアセンブリの上下面及び外周面にそれぞれ積層された繊維または発泡クッション材と、クッション材の上下面及び外周面をそれぞれ覆うカバー部と、を含んでいる。
【０００３】
マットレスは、スプリングアセンブリマットレスのコイルスプリングが縦方向及び横方向に互いに繋がれ、互いに結合して動かされるように構成されている。マットレスに与えられた衝撃は、近くのコイルスプリングに伝達し、それにより起伏を生じさせる。したがって、マットレスの快適性が低下し、それにより安眠が妨げられる。
【０００４】
スプリングアセンブリの上述の問題を解決するために、フレーム部材の収容空間内に縦方向及び横方向に配列されたコイルスプリングをそれぞれが収容したポケットを有するポケットセットと、ポケットセットを覆う柔軟な繊維材とと、を有するポケットスプリングアセンブリが提案されている。
【０００５】
図１ないし図３に示すように、ポケットスプリング１００は、縦方向Ｒ及び横方向Ｃに規則的に配列されたポケット１１２を有するポケットセット１１０と、コイルスプリング１１１のうちの最外コイルスプリングの巻きを固定するためにポケットセット１１０の上下部にそれぞれ設けられたフレーム部材１２０,１２０'と、フレーム部材１２０,１２０'の上下面に付けられた不織布１３０,１３０'と、を含んでいる。
【０００６】
ポケットセット１１０のポケット１１２は、そのなかに、コイルスプリング１１１が収容される空間を形成する。ポケットの上下部は、ホットメルティングプロセスによってポケットの外周面に付けられて、コイルスプリングを密封する。
【０００７】
ポケットセット１１０は、ポケット１１２のボディ両側部に設けられたメルティング部１１２ａが、ホットメルティングプロセスによって隣のポケットのメルティング部に付着するように、列方向Ｃに沿って配列される。そして、列に並べられたポケット１１２の外周面に接着剤１１２ｂを塗布し、上述のように構成された隣のポケットセット１１２に付着させる。
【０００８】
不織布１３０,１３０'は、ポケットセット１１０の上下部におかれ、フレーム部材１２０,１２０'は、ポケットセットの周りに位置付けられる。コイルスプリング１１１のうちの最外スプリングの上下端の巻きは、固定部材１４０で、フレーム部材１２０,１２０'の外周面に固定される。ポケットスプリングアセンブリ１００の製造は、上述のプロセスにより完了する。
【０００９】
繊維または発泡材のようなクッション材は、ポケットスプリング１００の上下面及び外周面に付着し、カバー材で包まれる。したがって、マットレスに加えられる様々な外部衝撃が、ポケットセット１１０内に配列されたコイルスプリング１１１によって独立して吸収される。
【００１０】
ポケットスプリングアセンブリ１００内に配列されたポケット１１２は、メルティング部１１２ａ及び接着剤１１２ｂによって互いにくっついで、互いに結合して動く。したがって、マットレスに加えられる衝撃が、ポケット１１２のメルティング部１１２ａ及び接着剤１１２ｂを介して隣のポケットに伝達し、これによりうねりが生じるという問題がある。
【００１１】
特に、ベッドマットレスに加えられる荷重は、ポケット１１２に収容されたコイルスプリング１１１を介して近くのコイルスプリングに間接的に伝達して、近くのコイルスプリングが、コイルスプリング１１１に加えられた荷重方向に傾く。このため、就寝者の重さは、完全には吸収されない。
【００１２】
ポケットセット１１０の製造プロセスにおいて、列に並んだポケット１１２の外周面に接着剤１１２ｂを塗布するステップ、および、列に並んだ他のポケットを付着するステップが要求される。あいにく、そのようなプロセスは、時間がかかり、非効率であり、これにより、ポケットスプリングアセンブリのコストが増加する。
【００１３】
加えて、ポケットセット１１０の上下面に上下不織布１３０,１３０'をそれぞれ付着させるから、そのようなプロセスは、時間がかかり、非効率である。さらに、上下不織布１３０,１３０'の浪費が原因で、ポケットスプリングアセンブリの付加的なコストが増加する他の問題がある。
【００１４】
ポケットスプリングアセンブリ１００によれば、ボディの上部がボディの下部と同じクッション性能を持つように、コイルスプリングが配列される。ポケットスプリングアセンブリ１００に、単一のクッション材を用いて二重クッションの機能を与えるため、ポケットスプリングアセンブリ１００の上面に積層されたクッション部材の材料が、下面のそれとは異なっていなければならない。
【発明の開示】
【発明が解決しようとする課題】
【００１５】
したがって、本発明の目的は、従来技術にかかわる問題を解決すること、および、コイルスプリングの構造を変更することにより、単一クッション材を用いて二重クッションの機能を与えることが可能なポケットスプリングアセンブリと、ポケットスプリングアセンブリの製造方法を提供することにある。
【課題を解決するための手段】
【００１６】
上記及び他の目的を達成するため、クッションまたは緩衝性能を独立して与えるための、マットレスに内蔵されたポケットスプリングアセンブリが提供され、当該ポケットスプリングアセンブリは、縦方向及び横方向に規則的に配列されたコイルスプリングをそれぞれが収容している複数のポケットを有するポケットセットと、ポケットセットの上部面に水平方向にねじこまれてかみあい、コイルスプリングの上端の一巻きを固定するヘリカルコイルと、ポケットセットの上下部にそれぞれが設けられ、コイルスプリングのうちの最外コイルスプリングを固定する上下フレーム部材と、フレーム部材の上部面に付けられ、ポケットセットの上部を固定する不織布と、を備える。
【発明を実施するための最良の形態】
【００１７】
本発明の好ましい実施形態に、詳細に言及するが、その例は、添付の図面に示される。
【００１８】
図４は、本発明の好ましい実施形態に係るポケットスプリングアセンブリを示す上面図、図５は、ポケットスプリングアセンブリの正面図で、図６は、ポケットスプリングの側面図である。本発明のポケットスプリングアセンブリは、縦方向Ｒ及び横方向Ｃに規則的に配列されたコイルスプリング１１をそれぞれが収容している複数のポケット１２を有するポケットセット１０と、ポケットセット１０の上面に水平方向Ｒにねじこまれて(threadly)結合され、コイルスプリング１１の上端の一巻きを固定するヘリカルコイル２０と、ポケットセット１０の上下部にそれぞれが設けれ、コイルスプリング１１のうちの最外コイルスプリングを固定部材５０で固定する上下フレーム部材３０,３０'と、フレーム部材３０の上部に付けられ、ポケットセット１０の上部及びヘリカルコイル２０を固定する不織布４０と、を含む。
【００１９】
ポケットスプリングアセンブリの製造方法は、ポケット１２の収容空間に個々のコイルスプリング１１を挿入し、収容空間を密封するステップと、ポケット１２の両側に形成されたメルティング部１２ａを用いて複数のポケットを付着し、ポケットを列方向Ｃに配列するステップと、ポケット１２の列を水平方向Ｒに配列してポケットセット１０を形成するステップと、ヘリカルコイル２０をポケットセット１０の上面に水平方向Ｒに螺子式(threadly)で結合してコイルスプリング１１の上端の一巻き(turn)を固定するステップと、それぞれポケットセット１０の上下部に上下フレーム部材３０,３０'を与え、コイルスプリング１１のうちの最外コイルスプリングを固定部材５０で固定するステップと、フレーム部材３０の上面に不織布４０をおいた状態でフレーム部材３０にヘリカルコイル２０を装着するステップと、を有する。
【００２０】
本発明の構成要素のうち、ポケットセット１０のコイルスプリング１１及びポケット１２と、フレーム部材３０,３０'と、不織布４０とは、従来技術のそれらと同じ機能及び材質を有する。このため、その説明は省略する。但し、従来技術のものとは異なる構成要素は、ここで、参照番号で示し、説明する。
【００２１】
図５に示すようにポケット１２がメルティング部１２ａによって連続的に付着している方向を、列方向Ｃと仮定し、図６に示すようにポケット１２の列が連続的に配列される方向を、水平方向Ｒと仮定する。列方向Ｃは、水平方向Ｒに変えられてもよいし、その逆も同様である。
【００２２】
ポケット１２は、天然織物で形成されたボディを有し、ボディ内に収容空間を形成する。また、ポケット１２は、ボディの上部でコイルスプリング１１を受け入れる開口部と、ホットメルティングプロセスで隣のポケットを接着するためにボディ両側に形成されたメルティング部１２ａと、を有している。
【００２３】
コイルスプリング１１は、従来のスプリングアセンブリに適用される、トリプルオフセットスプリング、ダブルオフセットスプリング及びluxスプリング、cozyスプリングを備えている。好ましくは、ボディの上下端に丸形に形成された上下の巻きを有するスプリングを用いられる。
【００２４】
コイルスプリング１１は、ポケットの収容空間とほぼ同じ高さ、ポケットの収容空間とほぼ同じ直径を有している。したがって、付加的な支持手段が備えられなくても、コイルスプリング１１は、ポケット１２の収容空間に内蔵された状態で、支持力を維持して、クッション性能を最大にすることができる。
【００２５】
ポケットセット１０の一方(上面)が複数のヘリカルコイル２０で固定され、他方(下面)が別の固定手段で固定されないから、ポケットセット１０の上下面のクッションが互いに異なっても、ポケットスプリングアセンブリ１は、単一のクッションを用いて二重クッションとして機能することができる。
【００２６】
本実施形態では、ポケットセット１０の上下部における、上下フレーム部材３０,３０'を配置を説明したが、ポケットスプリングアセンブリ１の上下面及び外周面に取り付けられた様々なクッション部材でポケットセット１０が支持されれば、上下フレーム部材３０,３０'は除かれてもよい。
【００２７】
さらに、本実施形態では、ポケットセット１０の一方(上面)がヘリカルコイル２０で固定され、他方(下面)が別の固定手段で固定されていない。しかし、ポケット１１２の列に接着剤を塗布し、ポケットの他の列がポケットの列に付着することができる。
【００２８】
発明のポケットスプリングアセンブリの製造方法を詳細に説明する。
【００２９】
先ず、ポケットスプリングアセンブリ１０を製造するため、ポケット１２の収容空間に個々のコイルスプリング１１が挿入され、収容空間が密封される。図５に示すように、メルティング部１２ａの利用により、複数のポケット１２が、列になって連続的に互いに付着する。
【００３０】
その後、図６に示すように、ポケット１２の列が連続的に水平方向Ｒに配列され、ポケットセット１０を形成する。複数のヘリカルコイル２０が水平方向Ｒにポケットセット１０の上面にはめられる。
【００３１】
ポケットセットの上端の一巻きがヘリカルコイル２０と相互にかみあい、下端が列方向に広げられることが可能なように、ポケットセット１０は配列される。
【００３２】
この時、水平方向Ｒ及び列方向Ｃに規則的にポケット１２を配列する過程において、従来技術で用いた接着部１１２ｂが不要となり、これにより作業ステップが削減される。
【００３３】
ホットメルティング工程でポケットセット１０の上面に不織布４０が付着した後、フレーム部材３０,３０'がポケットセット１０の上下部にのせられ、コイルスプリング１１のうちの最外コイルスプリングがフレーム部材に固定される。
【００３４】
この時、ポケットセット１０の上面に不織布４０を付着する一方で、ポケットセット１０の下部面に不織布を付着しない。したがって、作業ステップが削減され、不織布の消費が最小化される。
【００３５】
そして、繊維または発泡材などのクッション部材がポケットスプリングアセンブリ１の上下面及び外周面に付着し、これによりマットレスを製造する。したがって、マットレスに作用する様々な外部衝撃が、ポケットセット１０内に配されたコイルスプリング１１によって独立して吸収される。
【００３６】
さらに、ポケットスプリング１の上下面は、異なるクッショニングを与えられるから、本発明のマットレスは、二重のクッショニング性能をもたらす。また、ポケットスプリングアセンブリ１の上下面に積層されたクッション材の材料が互いに異なる場合、マットレスは、多様なクッション機能を得ることができる。
【００３７】
本発明を、ここで、その好ましい実施形態に関して説明及び図示したが、本発明の概念及び範囲から逸脱することなく、様々な修正及び変更がここでなされ得ることは、当業者にとって明らかである。したがって、本発明が、添付のクレーム及び均等物の範囲内で生じる、この発明の修正及び変更をカバーすることが意図されている。
【産業上の利用可能性】
【００３８】
以上の説明から明らかなように、本発明に係るポケットスプリングによれば、単一クッション材を用いて二重のクッション機能がもたらされるから、一つのマットレスによって様々なクッショニング性能をもたらすことができる。さらに、ホットメルティングプロセスによって不織布がポケットセットの上面に付着し、これにより、コイルスプリングの起伏による周辺部品の損失が最小化される。
【００３９】
さらに、ポケットセット内でポケットの列が互いに付着しないから、コイルスプリングに加えられる荷重が、近くのコイルスプリングに伝達されず、これにより、マットレスの快適性及び利便性が向上する。また、ポケットスプリングの製造の作業ステップが削減され、これにより、ポケットスプリングアセンブリのコストが最小化される。
【図面の簡単な説明】
【００４０】
本発明の上記目的、他の特徴及び効果は、その、好ましい実施形態を、添付の図面に関して説明することにより、より明らかになる。
【００４１】
図１は、従来のポケットスプリングアセンブリを示した上面図。
【００４２】
図２は、従来のポケットスプリングアセンブリを示した正面図。
【００４３】
図３は、従来のポケットスプリングアセンブリを示した側面図。
【００４４】
図４は、本発明の実施形態に係るポケットスプリングアセンブリを示した上面図。
【００４５】
図５は、本発明の実施形態に係るポケットスプリングアセンブリを示した正面図。
【００４６】
図６は、本発明の実施形態に係るポケットスプリングアセンブリを示した側面図。
【図１】
2006501042.tif 000003
【図２】
2006501042.tif 000004
【図３】
2006501042.tif 000005
【図４】
2006501042.tif 000006
【図５】
2006501042.tif 000007
【図６】
2006501042.tif 000008
【国際調査報告】
2006501042.tif 000009